(57)【要約】  【課題】高機能携帯電話機の操作を十分に理解していないユーザでも、高機能携帯電話機を簡単に操作できるようにする。  【解決手段】ケーシング２ａに内蔵されたコンピュータの制御部１６にフル機能制御プログラム１８と最小限機能制御プログラム２０とを格納し、制御部１６に、高度な機能を備えたフル機能モードと、電話機として必要最小限の単純な機能のみを備えた最小限機能モードを設定する。ケーシング２ａにモード切り替えスイッチ２６を設け、該スイッチ２６によってフル機能モードと最小限機能モードのうち、いずれか１つのモードを選択可能とし、スイッチ操作で制御部１６の動作モードを選択できるようにした。【選択図】図１
2006129112.tif 000002
【特許請求の範囲】
【請求項１】
ケーシングに内蔵されたコンピュータの制御部にフル機能制御プログラムと最小限機能制御プログラムとを格納し、前記制御部に、高度な機能を備えたフル機能モードと、電話機として必要最小限の単純な機能のみを備えた最小限機能モードを設定し、前記ケーシングにモード切り替え手段を設け、該モード切り替え手段によって前記フル機能モードと最小限機能モードのうち、いずれか１つのモードを選択可能とし、前記制御部の動作を前記選択したモードとするようにしたことを特徴とする携帯電話機。
【請求項２】
前記制御部に、前記フル機能モードと最小限機能モードの他にこれらの中間の機能を備えた中間レベル機能制御プログラムを格納し、前記ケーシングに設けたモード切り替え手段により、前記フル機能モードと最小限機能モードと中間レベル機能モードを選択可能とし、のうち、いずれか１つのモードを選択可能とし、前記制御部の動作を前記選択したモードとするようにしたことを特徴とする請求項１に記載の携帯電話機。
【請求項３】
前記モード切り替え手段を、前記ケーシングに設けたスイッチにより構成したことを特徴とする請求項１又は請求項２に記載の携帯電話機。
【発明の詳細な説明】
【技術分野】
【０００１】
本発明は、携帯電話機に関する。
【背景技術】
【０００２】
最近では、携帯電話機の技術開発が進み、複雑で多数の高度な機能を標準装備した各種の携帯電話機が市販されている。
【発明の開示】
【発明が解決しようとする課題】
【０００３】
現状の携帯電話機は、多機能高度化されているため、その使い方を十分に理解できるユーザは良いが、その機能を十分に理解できない、一部の老人や子供にとっては使いづらいという問題点がある。ところが、このようなユーザは、皆と同じレベルの携帯電話機を持ちたがる傾向があり、メーカーが、老人専用、子供専用のモデルを用意しても、あまり売れないという問題点がある。
本発明は上記問題点を解決することを目的とする。  
【課題を解決するための手段】
【０００４】
上記目的を達成するため本発明は、ケーシングに内蔵されたコンピュータの制御部にフル機能制御プログラムと最小限機能制御プログラムとを格納し、前記制御部に、高度な機能を備えたフル機能モードと、電話機として必要最小限の単純な機能のみを備えた最小限機能モードを設定し、前記ケーシングにモード切り替え手段を設け、該モード切り替え手段によって前記フル機能モードと最小限機能モードのうち、いずれか１つのモードを選択可能とし、前記制御部の動作を前記選択したモードとすることができるようにしたものである。
また本発明は、前記制御部に、前記フル機能モードと最小限機能モードの他にこれらの中間の機能を備えた中間レベル機能制御プログラムを格納し、前記ケーシングに設けたモード切り替え手段により、前記フル機能モードと最小限機能モードと中間レベル機能モードをのうち、いずれか１つのモードを選択可能とし、前記制御部の動作を前記選択したモードとすることができるようにしたものである。
また本発明は、前記モード切り替え手段を、前記ケーシングに設けたスイッチにより構成したものである。
【発明の効果】
【０００５】
高機能を有する携帯電話機であっても、その操作に習熟するまでは、単純な機能をもつ携帯電話機として使用できるので、老人や子供でも高機能モデルの携帯電話機を所有することにより、外観的にも満足度が得られるとともに、操作ミスによるトラブルなしに高機能モデルの携帯電話機を利用することができる。
【発明を実施するための最良の形態】
【０００６】
以下に本発明の実施の形態を添付した図面を参照して詳細に説明する。
携帯電話機２のケーシング２ａには、図示しない無線基地局との間で電波を送受信するアンテナ４と、キー入力部６と、表示部８と、スピーカ兼マイクロフォン１０が設けられ、ケーシング２ａに内蔵されたコンピュータには、アンテナ４を介して、無線データの送受信処理を行い、同無線データの変復調などを行う無線部１２と、音声通話全般を制御する音声通話制御部１４と、データ通信制御やそのたの制御を行う制御部１６と、メモリ１８が設けられている。
【０００７】
制御部１６は、ＣＰＵ（中央処理装置）１６ａとＲＯＭ１６ｂを有している。前記ＲＯＭ１６ａには、携帯電話機２を制御させ、制御部１６の動作モードをフル機能モードに設定するるための、フル機能制御プログラム１８と、最小限機能モードに設定するための、最小機能制御プログラム２０と、中間レベル機能モードに設定するための中間レベル機能制御プログラムが記録されている。
【０００８】
前記制御部１６には、モード切り替え部２４が設けられ、該モード切り替え部２４の出力信号によって、前記制御部１６は、携帯電話機２の動作を、前記フル機能制御プログラムに対応するフル機能モード、前記最小限機能制御プログラムに対応する最小限機能モード、前記中間レベル機能制御プログラムに対応する中間レベル機能モードの中のいずれか１つのモードに設定するように構成されている。
【０００９】
前記フル機能モードに設定された携帯電話機２は、その有する全ての機能が動作可能な状態となる。また、最小限機能モードに設定された携帯電話機２は、単に電話を掛け、電話を受けるだけの電話機として、最小限の機能でのみ動作可能な状態となる。携帯電話機２の予め有する、最小限機能の範囲に含まれない、高度多機能な操作機能は、この最小限機能モードでは動作しない。
【００１０】
また、中間レベル機能モードは、前記フル機能モードと最小限機能モードとの中間のレベルの機能に設定されたモードであり、ある程度、携帯電話機の操作に習熟したユーザが利用するためのものである。モードを切り替えるためのスイッチ２６は、本実施形態では、スライドスイッチを用い、携帯電話機２のケーシング２ａの裏側に設けてある。
【００１１】
ユーザがスイッチ２６のボタン２６ａの位置を変えることで、モード切り替え部２４は、ボタン２６の位置に応じてモード選択信号を制御部１６に出力する。制御部１６は、モード切り替え部２４からモード選択信号を受け取ると、その信号に応じたモードに設定される。モード切り替えスイッチ２６は、携帯電話機２のどのような場所にも設置が可能であり、ケーシング裏側の電池収納部の近傍の、裏蓋を開けなければ操作できない個所やその他、特に図示する個所に限定されるものではない。また、モード切り替えスイッチは、キー入力部のキーを用いるようにしても良く、この場合には、表示部８のモード設定ナビの画面に従って、モード設定を行う。
【図面の簡単な説明】
【００１２】
【図１】本発明に係る携帯電話機の電気的な構成を示すブロック説明図である。
【図２】携帯電話機の裏側の説明図である。
【図３】モード切り替えスイッチの説明図である。
【符号の説明】
【００１３】
２      携帯電話機  
４      アンテナ        
６      キー入力部
８      表示部
１０    スピーカ
１２    無線部
１４    音声通話制御部
１６    制御部
１８    フル機能制御プログラム
２０    最小限機能制御プログラム
２２    中間レベル機能制御プログラム
２４    モード切り替え部
２６    モード切り替えスイッチ
【図１】
2006129112.tif 000003
【図２】
2006129112.tif 000004
【図３】
2006129112.tif 000005